(57)【要約】【課題】  取付ベースと装飾部材との位置ずれや、取付ベースと表示装置との間の余分な隙間が生じにくく、遊技機の外観品質を向上させることができる装飾構造を提供する。【解決手段】  装飾部材側開口部１２１を有する装飾部材１２０と、取付ベース側開口部１１１を有する取付ベース１１０とを備え、装飾部材側開口部１２１及び取付ベース側開口部１１１を通じて取付ベース１１０の後面側に配される表示装置２００の表示部２１０を視認可能とする遊技機の装飾構造１００において、取付ベース１１０の後面に取付ベース側突出部１１３を設け、装飾部材１２０の後面に装飾部材側突出部１２２を設けて、取付ベース１１０と装飾部材１２０とを組み付けた際に、取付ベース側突出部１１３の突出端１１３ａと、装飾部材側突出部１２２の突出端１２２ａとが、表示装置２００の前面に対して垂直になる方向において略同位置となるようにした。【選択図】図４
2017189482.tif 000002
【特許請求の範囲】
【請求項１】
遊技機の前面を装飾するための装飾部材と、
装飾部材の後面側に配され、装飾部材を取り付けるための取付ベースと
を備え、
取付ベースの後面側に配される表示装置の表示部を、取付ベースに設けられた取付ベース側開口部と、装飾部材における取付ベース側開口部と重なる位置に設けられた装飾部材側開口部とを通して遊技者に視認させる
遊技機の装飾構造であって、
装飾部材側開口部が、取付ベース側開口部よりも小さい開口面積を有するとともに、
取付ベースの後面における取付ベース側開口部付近には、取付ベース側突出部が、表示装置が配される側に突出して設けられ、
装飾部材の後面における装飾部材側開口部付近には、装飾部材側突出部が、表示装置が配される側に突出して設けられて、
取付ベース側突出部の突出端の、表示装置の前面に対して垂直になる方向の位置と、装飾部材側突出部の突出端の、表示装置の前面に対して垂直になる方向の位置とが、略同一となるようにされた
ことを特徴とする遊技機の装飾構造。
【請求項２】
取付ベース側突出部が、取付ベースの後面における取付ベース側開口部付近の複数箇所に設けられ、
装飾部材側突出部が、装飾部材の後面における装飾部材側開口部付近の複数箇所に設けられるとともに、
取付ベース側突出部と装飾部材側突出部とが、取付ベース側開口部の周縁及び装飾部材側開口部の周縁に沿って交互に配された
請求項１に記載の遊技機の装飾構造。
【請求項３】
取付ベース側突出部が、取付ベースの後面における取付ベース側開口部付近の複数箇所に設けられ、
装飾部材側突出部が、装飾部材の後面における装飾部材側開口部付近の複数箇所に設けられるとともに、
取付ベース側突出部が、取付ベース側開口部の周縁に沿った箇所の対称な位置に設けられ、
装飾部材側突出部が、装飾部材側開口部の周縁に沿った箇所の対称な位置に設けられた
請求項１又は２に記載の遊技機の装飾構造。
【請求項４】
取付ベース側突出部が、取付ベースの後面における取付ベース側開口部付近の複数箇所に設けられ、
装飾部材側突出部が、装飾部材の後面における装飾部材側開口部付近の複数箇所に設けられるとともに、
取付ベース側突出部が、取付ベース側開口部の周縁に沿って均等な位置に設けられ、
装飾部材側突出部が、装飾部材側開口部の周縁に沿って均等な位置に設けられた
請求項１〜３いずれか１つに記載の遊技機の装飾構造。
【請求項５】
少なくとも１つの取付ベース側突出部又は少なくとも１つの装飾部材側突出部が複数の突起で構成され、それぞれの突起が上記突出端を有する請求項２〜４いずれか１つに記載の遊技機の装飾構造。
【請求項６】
請求項１〜５いずれか１つに記載の遊技機の装飾構造を備えた遊技機。
【発明の詳細な説明】
【技術分野】
【０００１】
本発明は、遊技機を装飾するための装飾構造と、当該装飾構造を備えた遊技機とに関する。
【背景技術】
【０００２】
回胴式遊技機やパチンコ遊技機等の遊技機には、遊技機を装飾するための装飾構造が設けられる。遊技機の装飾構造は、通常、遊技機を装飾するための装飾部材と、装飾部材の後面側に設けられて、装飾部材が取り付けられる取付ベースとを備えたものとされる。遊技機が表示装置を備えたものである場合には、表示装置が取付ベースの後面側に配されるとともに、装飾部材及び取付ベースに開口部が設けられ、当該開口部を通して表示装置の表示部が視認可能とされることがある。例えば、特許文献１の図６等には、デザインパネル３７（装飾部材に相当）及び前面枠４（取付ベースに相当）に設けられた開口部を通して液晶表示ユニット７（表示装置に相当）の表示部が視認可能とされた遊技機が開示されている。
【先行技術文献】
【特許文献】
【０００３】
【特許文献１】特開２００５−１６０９５４号公報
【発明の概要】
【発明が解決しようとする課題】
【０００４】
ところで、従来の遊技機において、上記のように、装飾部材及び取付ベースに設けられた開口部を通して表示装置の表示部が視認可能とされる場合には、取付ベースのみが、表示装置に面で当接するように構成されることが多かった。図２は、従来の遊技機の装飾構造を分解した状態を示す後方斜視図である。図３は、従来の遊技機の装飾構造とその後面側に配された表示装置における、装飾構造の開口部の周縁付近を、左右方向に対して垂直な鉛直面で切断した拡大断面図である。図２及び図３においては、取付ベース１１０と他の部材とを見分けやすくするために、取付ベース１１０を網掛けハッチングで示している。
【０００５】
従来の遊技機においては、図２に示すように、取付ベース１１０の後面における、取付ベース側開口部１１１の周縁に沿った箇所に環状に設けられた凸条部１１２の後端面１１２ａが、表示装置２００の前面における周辺部２１１（例えば、所謂ベゼル等、表示部２１０の周辺に設けられる枠状の部分）に当接するようになっていた。加えて、従来の遊技機において、装飾部材１２０は、図３に示すように、取付ベース１１０の前面側には当接するものの、表示装置２００には当接しない状態で取付ベース１１０に取り付けられていた。このため、取付ベース１１０や表示装置２００に成形誤差があった場合や、取付ベース１１０と表示装置２００との間に組み付け誤差があった場合には、取付ベース１１０の後面側に表示装置２００が配されて、表示装置２００の前面における周辺部２１１に取付ベース１１０が当接した際に、上記の成形誤差や組み付け誤差に起因する歪みや撓みが取付ベース１１０に集中しやすく、取付ベース１１０と装飾部材１２０との位置ずれが生じやすくなるという問題があった。また、上記成形誤差や組み付け誤差によって、取付ベース１１０と表示装置２００との間に余分な隙間が生じやすいという問題もあった。取付ベース１００と装飾部材１２０との位置ずれが生じたり、取付ベース１１０と表示装置２００との間に余分な隙間が生じたりすると、遊技機の外観品質が低下する虞がある。加えて、従来の遊技機の装飾構造においては、取付ベース１１０における取付ベース側開口部１１１の内周面が遊技者側から見える状態（図３を参照）となっており、これによっても遊技機の外観品質が低下する虞があった。
【０００６】
本発明は、上記課題を解決するために為されたものであり、取付ベースと装飾部材との位置ずれを生じにくくするとともに、取付ベースと表示装置との間に余分な隙間を生じにくくすることによって、遊技機の外観品質を向上させることができる遊技機の装飾構造を提供するものである。また、この遊技機の装飾構造を備えた遊技機を提供することも本発明の目的である。
【課題を解決するための手段】
【０００７】
上記課題は、
遊技機の前面を装飾するための装飾部材と、
装飾部材の後面側に配され、装飾部材を取り付けるための取付ベースと
を備え、
取付ベースの後面側に配される表示装置の表示部を、取付ベースに設けられた取付ベース側開口部と、装飾部材における取付ベース側開口部と重なる位置に設けられた装飾部材側開口部とを通して遊技者に視認させる
遊技機の装飾構造であって、
装飾部材側開口部が、取付ベース側開口部よりも小さい開口面積を有するとともに、
取付ベースの後面における取付ベース側開口部付近には、取付ベース側突出部が、表示装置が配される側に突出して設けられ、
装飾部材の後面における装飾部材側開口部付近には、装飾部材側突出部が、表示装置が配される側に突出して設けられて、
取付ベース側突出部の突出端の、表示装置の前面に対して垂直になる方向（取付ベースの後面側に表示装置が配された際に表示装置の前面に対して垂直になる方向。以下同じ。）の位置と、装飾部材側突出部の突出端の、表示装置の前面に対して垂直になる方向の位置とが、略同一となるようにされた
ことを特徴とする遊技機の装飾構造
を提供することによって解決される。
【０００８】
かかる構成にあっては、取付ベースや表示装置に成形誤差があったり、取付ベースと表示装置との間に組み付け誤差があったりしたとしても、取付ベースと装飾部材との位置ずれを生じにくくすることができる。というのも、位置ずれの原因となる取付ベースの歪みや撓みは、表示装置が取付ベースの後面側に配された際に、取付ベースの後面側と表示装置の前面側とが当接して、取付ベースが表示装置から押圧力を受けることによって生じるところ、本発明の遊技機の装飾構造においては、取付ベース側突出部の突出端が表示装置の前面に当接する際には、装飾部材側突出部の突出端も表示装置の前面に当接させることができるようになっているため、従来は取付ベースのみにかかっていた上記押圧力を取付ベースと装飾部材とに分散することができ、取付ベースの歪みや撓みを抑えることができるからである。また、取付ベースの歪みや撓みが小さく抑えられることで、取付ベースと表示装置との間に余分な隙間が生じにくいようにすることもできる。このとき、装飾部材における装飾部材側開口部の周辺部位を、表示装置の前面に近接するように形成し、取付ベース側開口部の内周面が装飾部材側開口部の周壁で覆われるようにすると、取付ベースが遊技者側から見えにくくなり、遊技機の外観品質をさらに向上させることができるために、好ましい。なお、ここで言う「表示装置」とは、視覚によって認識可能な内容を表示することができる装置のことであり、液晶表示装置や有機ＥＬ表示装置等、動画を表示することのできる表示装置に限定されず、色彩や描画が予め施された透光性部材とバックライトとを備えた装置や、７セグメントディスプレイ等の簡素な表示装置も含まれるものとする。本明細書においては、特に断りのない限り、遊技機の前扉に向かって手前側を「前」、奥側を「後」としている。
【０００９】
本発明の遊技機の装飾構造においては、取付ベース側突出部を、取付ベースの後面における取付ベース側開口部付近の複数箇所に設け、装飾部材側突出部を、装飾部材の後面における取付ベース側開口部付近の複数箇所に設けるとともに、取付ベース側突出部と装飾部材側突出部とを、取付ベース側開口部の周縁又は装飾部材側開口部の周縁に沿って交互に配することもできる。
【００１０】
かかる構成にあっては、取付ベースにかかる押圧力を、複数箇所の取付ベース側突出部によって取付ベース内で分散させるとともに、装飾部材にかかる押圧力を、複数箇所の装飾部材側突出部によって装飾部材内で分散させて、取付ベースや装飾部材が局所的に大きく変形しないようにすることができる。また、取付ベース側突出部と装飾部材側突出部とを交互に配することによって、表示装置から取付ベースへの押圧力のかかり方と、表示装置から装飾部材への押圧力のかかり方とを、近づけることもできる。これによって、取付ベースと装飾部材との位置ずれを、より生じにくくすることができる。加えて、取付ベースと表示装置との間や、装飾部材と表示装置との間に余分な隙間がより生じにくいようにすることもできる。ここで、取付ベースと装飾部材とを同種類の材料で形成する等しておくと、取付ベースと装飾部材との変形具合をさらに近づけることができ、取付ベースと装飾部材との位置ずれをさらに生じにくくすることができるため好ましい。
【００１１】
本発明の遊技機の装飾構造においては、取付ベース側突出部を、取付ベースの後面における取付ベース側開口部付近の複数箇所に設け、装飾部材側突出部を、装飾部材の後面における取付ベース側開口部付近の複数箇所に設けるとともに、取付ベース側突出部を、取付ベース側開口部の周縁に沿った箇所の対称な位置に設け、装飾部材側突出部を、装飾部材側開口部の周縁に沿った箇所の対称な位置に設けるようにすることもできる。
【００１２】
かかる構成にあっては、取付ベースにかかる押圧力が取付ベース内で対称に分散するようにすることができ、装飾部材にかかる押圧力が装飾部材内で対称に分散するようにすることができる。これによって、取付ベースや装飾部材が偏って変形することを防ぐことができ、取付ベースと装飾部材との位置ずれを、より生じにくくすることができる。ここで、「取付ベース側突出部を、取付ベース側開口部の周縁に沿った箇所の対称な位置に設け」るとは、取付ベース側開口部が略線対称な形状であるときには、その対称軸に対して略線対称な位置に取付ベース側突出部を設けることを言い、取付ベース側開口部が略回転対称な形状であるときには、その対称中心を中心として略回転対称な位置に取付ベース側突出部を設けることを言う。加えて、取付ベース側開口部が略線対称でも略回転対称でもない形状（以下において、「異形」と表現することがある。）であるときには、取付ベース側開口部の形状のうち多少の凹凸（取付ベース側開口部の概形に影響を及ぼさない程度の凹凸）を無視して得られる線対称又は回転対称な仮想図形を取付ベース側開口部とみなしたうえで、上記と同様の位置に取付ベース側突出部を設けることを言う。例えば、図１０に示す態様においては、異形である取付ベース側開口部１１１の多少の凹凸を無視して得られる円を仮想図形Ｖ１とし、当該仮想図形Ｖ１の中心Ｃを対称中心とする５箇所に取付ベース側突出部１１３を設けている。また、図１１に示す態様においては、異形である取付ベース側開口部１１１の多少の凹凸を無視して得られる線対称な仮想図形Ｖ２の対称軸Ｌに対して対称な位置に取付ベース側突出部１１３を設けている。このとき、それぞれの取付ベース側突出部の形状や大きさについては、互いに異なっていてもよい。すなわち、対称移動させた際に重なるようになっていなくてもよい。「装飾部材側突出部を、装飾部材側開口部の周縁に沿った箇所の対称な位置に設け」ることについても、同様に定義されるものとする。
【００１３】
本発明の遊技機の装飾構造においては、取付ベース側突出部を、取付ベースの後面における取付ベース側開口部付近の複数箇所に設け、装飾部材側突出部を、装飾部材の後面における取付ベース側開口部付近の複数箇所に設けるとともに、取付ベース側突出部を、取付ベース側開口部の周縁に沿って均等な位置に設け、装飾部材側突出部を、装飾部材側開口部の周縁に沿って均等な位置に設けるようにすることもできる。
【００１４】
かかる構成にあっては、取付ベースにかかる押圧力が取付ベース内で均等に分散するようにすることができ、装飾部材にかかる押圧力が装飾部材内で均等に分散するようにすることができる。これによって、取付ベースや装飾部材が偏って変形することを防ぐことができ、取付ベースと装飾部材との位置ずれを、より生じにくくすることができる。ここで、「取付ベース側突出部を、取付ベース側開口部の周縁に沿った位置に均等に配置」するとは、取付ベース側開口部の周縁を、長さの等しい複数の区間に分割し、それぞれの区間に沿った位置に取付ベース側突出部を１箇所ずつ配することを言う。それぞれの区間におけるどの場所に沿った位置に取付ベース側突出部を設けるかは特に限定されない。ただし、取付ベース側開口部の周縁が、開口部内部に向かって半島状に突出する部分を有する場合には、当該突出部分の先端付近に取付ベース側突出部を設けるとより好ましい。「装飾部材側突出部を、装飾部材側開口部の周縁に沿った位置に均等に配置」することについても、同様に定義されるものとする。
【００１５】
本発明の遊技機の装飾構造においては、少なくとも１つの取付ベース側突出部又は少なくとも１つの装飾部材側突出部を複数の突起で構成し、それぞれの突起が上記突出端を有するようにすることもできる。
【００１６】
かかる構成にあっては、取付ベース側突出部又は装飾部材側突出部が表示装置に当接する場合の当接面積をさらに小さくすることができるため、取付ベースや装飾部材や表示装置に成形誤差があった場合や、取付ベースと表示装置との間や装飾部材と表示装置との間に組み付け誤差があった場合にも、取付ベースや装飾部材の歪みや撓みをより小さく抑えることができる。なお、それぞれの取付ベース側突出部又はそれぞれの装飾部材側突出部を構成する突起の個数は、互いに同じであっても、異なっていてもよい。
【００１７】
以上で述べた本発明の遊技機の装飾構造は、回胴式遊技機やパチンコ遊技機等の各種遊技機において好適に採用することができる。
【図面の簡単な説明】
【００１８】
【図１】回胴式遊技機の正面図である。
【図２】従来の遊技機の装飾構造を分解した状態を示す後方斜視図である。
【図３】従来の遊技機の装飾構造とその後面側に配された表示装置における、装飾構造の開口部の周縁付近を、左右方向に対して垂直な鉛直面で切断した拡大断面図である。
【図４】本発明の遊技機の装飾構造を分解した状態を示す後方斜視図である。
【図５】本発明の遊技機の装飾構造の前方斜視図である。
【図６】本発明の遊技機の装飾構造の後方斜視図である。
【図７】本発明の遊技機の装飾構造の後面図である。
【図８】本発明の遊技機の装飾構造とその後面側に配された表示装置とを、図７におけるＡ−Ａ線で切断した拡大断面図である。
【図９】本発明の遊技機の装飾構造とその後面側に配された表示装置とを、図７におけるＢ−Ｂ線で切断した拡大断面図である。
【図１０】異形である取付ベース側開口部を回転対称な仮想図形とみなして、取付ベース側突出部を取付ベース側開口部の周縁に沿った箇所の対称な位置に設ける際の、取付ベース側突出部の位置を例示する図である。
【図１１】異形である取付ベース側開口部を線対称な仮想図形とみなして、取付ベース側突出部を取付ベース側開口部の周縁に沿った箇所の対称な位置に設ける際の、取付ベース側突出部の位置を例示する図である。
【発明を実施するための形態】
【００１９】
本発明の遊技機の装飾構造の好適な実施態様について、図面を用いてより具体的に説明する。以下においては、説明の便宜上、本発明の遊技機の装飾構造を回胴式遊技機において採用する場合について説明するが、本発明の遊技機の装飾構造は、パチンコ遊技機等、回胴式遊技機以外の遊技機においても好適に採用することができる。
【００２０】
１．  回胴式遊技機
まず、回胴式遊技機の概要について説明する。図１は、回胴式遊技機１０の正面図である。図１に示す回胴式遊技機１０は、その筺体における前扉１０ａの前面側に、メダルを投入するためのメダル投入口１１と、メダルを払い出すためのメダル払出口１２と、その外周面に図柄が描かれた３本のリール１３，１４，１５と、演出画像を表示するためのメイン表示ユニット１６と、画像等の表示内容を表示するためのサブ表示ユニット１７と、照明演出を行うための発光ランプ（図示省略）と、音声演出を行うためのスピ−カー１８等を備えたものとなっており、操作部として、１遊技当たりの最大枚数（通常３枚）のメダルをベットするためのマックスベットボタン１９と、ベットするメダルを１枚ずつ増加するためのシングルベットボタン２０と、リール１３，１４，１５の回転を開始するためのスタートレバー２１と、リール１３，１４，１５の回転をそれぞれ停止するための３個のストップボタン２２，２３，２４と、演出を切り替えるためのチャンスボタン２５と、クレジットされたメダルを払い戻すための払戻しボタン２６等を有するものとなっている。
【００２１】
この回胴式遊技機１０は、メダルのクレジット枚数が所定枚数以上となった状態でスタートレバー２１が操作されると、役抽選が実行されるとともにリール１３，１４，１５が一斉に回転を開始し、ストップボタン２２，２３，２４がそれぞれ操作されると、操作されたストップボタン２２，２３，２４に対応するリール１３，１４，１５の回転が停止していき、全てのリール１３，１４，１５が停止したときにリール窓１０ａ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体内に格納されたホッパーユニット（図示省略）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２２】
本実施態様において、メイン表示ユニット１６は、画像を表示するための表示装置１６ａを備えている。表示装置１６ａには、遊技の進行に応じて演出画像が表示されるようになっている。表示装置１６ａは、通常、液晶表示装置や有機ＥＬ表示装置やプラズマ表示装置等の薄型表示装置とされ、本実施態様においては、液晶表示装置としている。また、本実施態様において、サブ表示ユニット１７は、画像等の表示内容を表示するための表示装置２００と、表示装置２００の前面側に配された装飾構造１００とを備えている。表示装置２００は、液晶表示装置や有機ＥＬ表示装置やプラズマ表示装置等の動画を表示することのできる表示装置に限定されず、色彩や描画が予め施された透光性部材とバックライトとを備えた装置や、７セグメントディスプレイ等の簡素な表示装置とすることもできる。本実施態様において、表示装置２００には、液晶表示装置を採用している。
【００２３】
装飾構造１００は、その中央付近に開口部を有しており、当該開口部を通じて表示装置２００の表示部２１０を遊技者側から視認できるものとなっている。この装飾構造１００によって、表示装置２００の表示部２１０を縁取るように装飾を施すことができる。表示装置２００に表示される表示内容は、特に限定されない。
【００２４】
以下においては、説明の便宜上、本発明の遊技機の装飾構造１００をサブ表示ユニット１７において採用する場合について説明する。しかし、本発明の遊技機の装飾構造１００は、サブ表示ユニット１７において採用される場合に限定されず、遊技機の前面側における装飾が施される箇所のいずれにも採用することができる。例えば、メイン表示ユニット１６の表示装置１６ａを装飾する部分に採用することもできる。
【００２５】
２．  装飾構造
図４は、本発明の遊技機の装飾構造１００を分解した状態を示す後方斜視図である。図４においては、表示装置２００も図示している。図５は、本発明の遊技機の装飾構造１００の前方斜視図である。図６は、本発明の遊技機の装飾構造１００の後方斜視図である。本実施態様の遊技機の装飾構造１００は、図４に示すように、装飾部材１２０と、取付ベース１１０とを備えたものとなっている。装飾部材１２０は、遊技機の前面における表示装置２００の周囲を装飾するためのものとなっている。取付ベース１１０は、装飾部材１２０を取り付けるためのものであり、装飾部材１２０の後面側に配されている。取付ベース１１０の後面側には、表示装置２００が配される。
【００２６】
取付ベース１１０には、取付ベース側開口部１１１が設けられており、装飾部材１２０における取付ベース側開口部１１１と前後方向に重なる位置には、取付ベース側開口部１１１よりも小さい開口面積を有する装飾部材側開口部１２１が設けられている。これにより、表示装置２００に装飾構造１００を組み付けた際には、表示装置２００の表示部２１０が取付ベース側開口部１１１及び装飾部材側開口部１２１を通じて遊技者から視認可能となるようになっている。表示装置２００における表示部２１０の周辺には、枠状の周辺部２１１（本実施態様においては、所謂ベゼルと呼ばれる部分）が設けられている。表示装置２００は、その左右端部に設けられたねじ通し穴２２０に通したねじ３００を取付ベース１１０後面のねじ用ボス１１４に螺合させることで、取付ベース１１０に固定することができるようになっている。表示装置２００と取付ベース１１０とは、直接的には固定しないようにしてもよい。
【００２７】
本実施態様において、表示装置２００に装飾構造１００を組み付けた際には、取付ベース１１０の後面における取付ベース側開口部１１１の付近と、装飾部材１２０の後面における装飾部材側開口部１２１の付近とが、共に表示装置２００の前面における周辺部２１１に当接するようになっている。具体的には、図４に示すように、取付ベース１１０の後面における取付ベース側開口部１１１付近の複数箇所に、取付ベース側突出部１１３が後方に突出して設けられるとともに、装飾部材１２０の後面における装飾部材側開口部１２１付近の複数箇所に、装飾部材側突出部１２２が後方に突出して設けられている。加えて、図６に示すように、取付ベース１１０と装飾部材１２０とを組み付けると、取付ベース側突出部１１３の突出端１１３ａの、表示装置２００の前面に対して垂直になる方向（本実施態様においては、ｙ軸方向。以下において、「対表示装置方向」と表現することがある。）の位置と、装飾部材側突出部１２２の突出端１２２ａの、対表示装置方向の位置とが、同一となるようになっている。換言すると、取付ベース１１０と装飾部材１２０とを組み付けたときに、取付ベース側突出部１１３の突出端１１３ａと、装飾部材側突出部１２２の突出端１２２ａとが、表示装置２００の前面に平行な同一平面上に配されるようになっている。
【００２８】
このため、取付ベース側突出部１１３の突出端１１３ａが表示装置２００の周辺部２１１に当接するときには、装飾部材側突出部１２２の突出端１２２ａも表示装置２００の周辺部２１１に当接するようになり、表示装置２００から受ける押圧力が、取付ベース１１０と装飾部材１２０とに分散されるようになっている。これにより、取付ベース１１０や装飾部材１２０や表示装置２００に成形誤差がある場合や、取付ベース１１０と表示装置２００との間や装飾部材１２０と表示装置２００との間に組み付け誤差がある場合にも、取付ベース１１０や装飾部材１２０に生じる歪みや撓みを小さく抑えて、取付ベース１１０と装飾部材１２０との位置ずれを生じにくくすることができる。また、取付ベース１１０と表示装置２００との間や装飾部材１２０と表示装置２００との間に余分な隙間を生じにくくすることもできる。
【００２９】
加えて、本実施態様の遊技機の装飾構造１００においては、図５に示すように、取付ベース１１０の前面における取付ベース側開口部１１１の周辺部位が、装飾部材１２０の装飾部材側開口部１２１の周辺部位によって覆われるようになっている。これにより、構造用部材である取付ベース１１０が装飾部材側開口部１２１を通じて遊技者側から見えてしまうことを防いで、回胴式遊技機１０の外観品質をより向上させることができる。以下、本実施態様の遊技機の装飾構造１００の各構成について、具体的に説明する。
【００３０】
２．１  取付ベース
取付ベース１１０は、装飾部材１２０等を取り付けるための構造用部材となっており、表示装置２００の表示部２１０を露出させるための取付ベース側開口部１１１を有している。取付ベース側開口部１１１の形状は、特に限定されず、表示装置２００の形状や装飾部材側開口部１２１の形状等に応じて適宜決定することができる。本実施態様における装飾部材側開口部１２１は、図４に示すように、略矩形状に形成されている。本実施態様においては、取付ベース１１０の後面における取付ベース側開口部１１１の周囲に沿った箇所に、凸条部１１２を環状に設けており、取付ベース１１０の剛性を高めている。
【００３１】
取付ベース１１０の後面における、取付ベース側開口部１１１付近の４箇所には、取付ベース側突出部１１３が後方に突出して設けられている。４箇所の取付ベース側突出部１１３は、その突出端１１３ａの対表示装置方向における位置が、互いに同一となるようになっている。取付ベース側突出部１１３は、取付ベース側開口部１１１の付近であれば、その設置箇所を特に限定されないが、本実施態様においては、凸条部１１２の後端面１１２ａに設けている。これにより、取付ベース側突出部１１３の剛性を高めることができる。
【００３２】
取付ベース側突出部１１３は、取付ベース１１０の後面において１箇所だけ設けることもできるが、本実施態様のように、複数箇所に設けると、表示装置２００から受ける押圧力を取付ベース１１０内で分散させることができ、取付ベース１１０の歪みや撓みをより小さく抑えることができるため好ましい。このため、取付ベース側突出部１１３を設ける箇所は、２箇所以上とすると好ましく、３箇所以上とするとより好ましく、４箇所以上とするとさらに好ましい。しかし、取付ベース側突出部１１３を設ける箇所を多くしすぎると、取付ベース１１０の形状が複雑化する虞がある。このため、取付ベース側突出部１１３を設ける箇所は、２０箇所以下とすると好ましく、１５箇所以下とするとより好ましく、１０箇所以下とするとさらに好ましい。
【００３３】
取付ベース側突出部１１３の形状は、表示装置２００の周辺部２１１に当接した際に、表示装置２００から受ける押圧力に耐え得るものであれば、特に限定されない。また、取付ベース側突出部１１３の突出端１１３ａの形状も特に限定されず、本実施態様のように平面状とするほか、凸状の曲面等とすることもできる。本実施態様においては、それぞれの取付ベース側突出部１１３を一体の突出部（１つの突起）として形成しているが、取付ベース側突出部１１３は、後述する装飾部材側突出部１２２のように、複数の突起で構成することもできる。この場合、それぞれの取付ベース側突出部１１３を構成する突起の数や形状等については、後述する装飾部材側突出部１２２における突起１２２ｂと同様の構成を採用することができる。
【００３４】
図７は、本発明の遊技機の装飾構造１００の後面図である。図７においては、表示装置２００の表示部２１０及び周辺部２１１が配される位置を、破線で示している。図８は、本発明の遊技機の装飾構造１００とその後面側に配された表示装置２００とを、図７におけるＡ−Ａ線で切断した（取付ベース側突出部１１３を通り、左右方向に対して垂直な鉛直面で切断した）拡大断面図である。取付ベース側突出部１１３の付近においては、図８に示すように、取付ベース１１０の後面のうち、取付ベース側突出部１１３の突出端１１３ａのみが表示装置２００の周辺部２１１に当接するようになっている。
【００３５】
取付ベース側突出部１１３の高さＨ１（図８を参照。）は、特に限定されない。しかし、取付ベース側突出部１１３の高さＨ１を小さくしすぎると、取付ベース側突出部１１３の突出端１１３ａ以外の部分も表示装置２００に当接しやすくなり、取付ベース１１０の歪みや撓みを抑えにくくなる虞がある。このため、取付ベース側突出部１１３の高さＨ１は、０．３ｍｍ以上とすると好ましく、０．５ｍｍ以上とするとより好ましく、０．７ｍｍ以上とするとさらに好ましい。一方、取付ベース側突出部１１３の高さＨ１を大きくしすぎると、取付ベース側突出部１１３の強度や剛性の低下を招く虞がある。このため、取付ベース側突出部１１３の高さＨ１は、１０ｍｍ以下とすると好ましく、５ｍｍ以下とするとより好ましく、３ｍｍ以下とするとさらに好ましい。本実施態様において、取付ベース側突出部１１３の高さＨ１は、１ｍｍ程度となっている。ここで、取付ベース側突出部１１３の高さＨ１とは、取付ベース１１０の後面のうち、取付ベース側開口部１１１付近（取付ベース側突出部１１３が設けられた部分を除く）における最も後方に位置する部分からの、取付ベース側突出部１１３の高さであって、対表示装置方向における高さのことを言う。本実施態様における取付ベース側突出部１１３の高さＨ１は、図８に示すように、凸条部１１２の後端面１１２ａから取付ベース側突出部１１３の突出端１１３ａまでの距離となっている。
【００３６】
取付ベース１１０の素材は、必要な強度及び成形容易性を有するものであれば、特に限定されないが、通常、金属や合成樹脂とされる。本実施態様においては、取付ベース１１０を、機械的強度に優れた合成樹脂、具体的にはポリカーボネート樹脂で形成している。
【００３７】
２．２  装飾部材
装飾部材１２０は、遊技機の前面における表示装置２００の周囲を装飾するためのものとなっており、表示装置２００の表示部２１０を露出させるための装飾部材側開口部１２１を有している。装飾部材側開口部１２１の形状は、特に限定されず、表示装置２００の形状や表示装置２００の表示内容等に応じて適宜決定することができる。本実施態様において、装飾部材側開口部１２１は、図４に示すように、略矩形状をなす異形状に形成されている。
【００３８】
装飾部材１２０の後面における、装飾部材側開口部１２１付近の４箇所には、装飾部材側突出部１２２が後方に突出して設けられている。４箇所の装飾部材側突出部１２２は、その突出端１２２ａの対表示装置方向における位置が互いに同一となるようになっている。装飾部材側突出部１２２は、装飾部材側開口部１２１の付近であれば、その設置箇所を特に限定されない。本実施態様においては、装飾部材１２０の後面における、装飾部材側開口部１２１に沿った箇所にフィン状部１２３（図６を参照）を形成しており、このフィン状部１２３の後端面１２３ａに装飾部材側突出部１２２を設けている。
【００３９】
装飾部材側突出部１２２は、装飾部材１２０の後面において１箇所だけ設けることもできるが、本実施態様のように、複数箇所に設けると、表示装置２００から受ける押圧力を装飾部材１２０内で分散させることができ、装飾部材１２０の歪みや撓みをより小さく抑えることができるため好ましい。このため、装飾部材側突出部１２２を設ける箇所は、２箇所以上とすると好ましく、３箇所以上とするとより好ましく、４箇所以上とするとさらに好ましい。しかし、装飾部材側突出部１２２を設ける箇所を多くしすぎると、装飾部材１２０の形状が複雑化する虞がある。このため、装飾部材側突出部１２２を設ける箇所は、２０箇所以下とすると好ましく、１５箇所以下とするとより好ましく、１０箇所以下とするとさらに好ましい。
【００４０】
それぞれの装飾部材側突出部１２２の形状は、表示装置２００の周辺部２１１に当接した際に、表示装置２００から受ける押圧力に耐え得るものであれば、特に限定されない。それぞれの装飾部材側突出部１２２は、上述した取付ベース側突出部１１３のように、一体の突出部（１つの突起）として形成してもよいが、本実施態様においては、図６に示すように、それぞれの装飾部材側突出部１２２を複数個の突起１２２ｂで構成している。突起１２２ｂは、そのそれぞれが装飾部材側突出部１２２の突出端１２２ａを有するように形成されている。
【００４１】
それぞれの装飾部材側突出部１２２を複数の突起１２２ｂで構成する場合において、それぞれの装飾部材側突出部１２２が有する突起１２２ｂの個数は、特に限定されない。それぞれの装飾部材側突出部１２２を構成する突起１２２ｂの個数は、互いに同じであっても異なっていてもよい。本実施態様においては、それぞれの装飾部材側突出部１２２を３個又は４個の突起１２２ｂで構成している。突起１２２ｂの形状も特に限定されず、略錘状や棒状とすることもできる。突起１２２ｂの後端における、突出端１２２ａを構成する部分の形状は、本実施態様のように平面状とするほか、凸状の曲面状としてもよい。
【００４２】
図９は、本発明の遊技機の装飾構造１００とその後面側に配された表示装置２００とを、図７におけるＢ−Ｂ線で切断した（突起１２２ｂを通り、左右方向に対して垂直な鉛直面で切断した）拡大断面図である。装飾部材側突出部１２２の付近においては、図９に示すように、装飾部材１２０の後面のうち、装飾部材側突出部１２２の突出端１２２ａのみが表示装置２００の周辺部２１１に当接するようになっている。
【００４３】
装飾部材側突出部１２２の高さＨ２（図９を参照。）は、特に限定されない。しかし、装飾部材側突出部１２２の高さＨ２を小さくしすぎると、上述した取付ベース側突出部１１３の高さＨ１を小さくしすぎた場合と同様の問題が生じる。このため、装飾部材側突出部１２２の高さＨ２は、０．１ｍｍ以上とすると好ましく、０．２ｍｍ以上とするとより好ましく、０．３ｍｍ以上とするとさらに好ましい。一方、装飾部材側突出部１２２の高さＨ２を大きくしすぎると、上述した取付ベース側突出部１１３の高さＨ１を大きくしすぎた場合と同様の問題に加えて、表示装置２００と装飾部材１２０との間の隙間が広くなりすぎてしまい、回胴式遊技機１０の外観品質を低下させる虞もある。このため、装飾部材側突出部１２２の高さＨ２は、５ｍｍ以下とすると好ましく、３ｍｍ以下とするとより好ましく、１ｍｍ以下とするとさらに好ましい。本実施態様において、装飾部材側突出部１２２の高さＨ２は、０．５ｍｍ程度となっている。ここで、装飾部材側突出部１２２の高さＨ２とは、装飾部材１２０の後面のうち、装飾部材側開口部１２１付近（装飾部材側突出部１２２を除く）における最も後方に位置する部分からの、装飾部材側突出部１２２の高さであって、対表示装置方向における高さのことを言う。本実施態様における装飾部材側突出部１２２の高さＨ２は、図９に示すように、フィン状部１２３の後端面１２３ａから装飾部材側突出部１２２の突出端１２２ａまでの距離となっている。
【００４４】
加えて、装飾部材側突出部１２２の高さＨ２は、取付ベース側突出部１１３の高さＨ１と同程度か、それよりも小さくすると好ましい。というのも、装飾部材側突出部１２２の高さＨ２を、取付ベース側突出部１１３の高さＨ１よりも大きくした場合には、装飾部材１２０と取付ベース１１０とを組み付けた際に、装飾部材１２０における装飾部材側開口部１２１の周縁と、表示装置２００の前面との隙間から、取付ベース１１０における取付ベース側開口部１１１の周縁付近の広い範囲が遊技者側から見えやすくなり、回胴式遊技機１０の外観品質を低下させる虞があるからである。
【００４５】
装飾部材１２０の素材は、所望の外観性能及び成形容易性を有するものであれば、特に限定されない。装飾部材１２０は、金属製としてもよいが、成形性に優れた合成樹脂で形成すると、美しい外観を容易に実現できるため好ましい。装飾部材１２０は、取付ベース１１０と異なる素材で形成することもできるが、同素材で形成すると、表示装置２００から押圧力がかかった際に、取付ベース１１０と装飾部材１２０とが同程度に変形しやすくし、取付ベース１１０と装飾部材１２０との位置ずれをより生じにくくすることができるため好ましい。本実施態様においては、装飾部材１２０をポリカーボネート樹脂で形成している。
【００４６】
２．３  取付ベース側突出部及び装飾部材側突出部の配置
取付ベース側突出部１１３を複数箇所設ける場合において、取付ベース側突出部１１３を取付ベース側開口部１１１の付近においてどのように配置するのかは、特に限定されない。同様に、装飾部材側突出部１２２を複数箇所設ける場合において、装飾部材側突出部１２２を装飾部材側開口部１２１の付近においてどのように配置するのかは、特に限定されない。本実施態様においては、図７に示すように、取付ベース側突出部１１３と装飾部材側突出部１２２とを、取付ベース側開口部１１１の周縁及び装飾部材側開口部１２１の周縁に沿って交互に配している。これにより、取付ベース側突出部１１３及び装飾部材側突出部１２２が表示装置２００の周辺部２１１に当接した際に、表示装置２００から取付ベース１１０にかかる押圧力のかかり方と、表示装置２００から装飾部材１２０にかかる押圧力のかかり方とを近づけることができ、取付ベース１１０と装飾部材１２０との位置ずれを、より生じにくくすることができる。
【００４７】
このとき、取付ベース側突出部１１３や装飾部材側突出部１２２を、表示装置２００の前面における周辺部２１１のうち、表示部２１０に近い部分に当接するように設けると好ましい。というのも、取付ベース側突出部１１３や装飾部材側突出部１２２を、表示装置２００の表示部２１０から遠い箇所に当接するように設けると、当該当接した部分においては、取付ベース１１０や装飾部材１２０の歪みや撓みを小さく抑えることができたとしても、外観品質の低下に大きな影響を及ぼし得る表示部２１０に近い部分においては、歪みや撓みを小さく抑えにくくなるからである。具体的には、表示装置２００の表示部２１０の周縁２１０ａから取付ベース側突出部１１３までの、表示装置２００の前面に平行な方向における距離Ｌ１を、３０ｍｍ以下とすると好ましい。距離Ｌ１は、２０ｍｍ以下とすると好ましく、１０ｍｍ以下とするとより好ましい。同様の理由で、表示装置２００の表示部２１０の周縁２１０ａから装飾部材側突出部１２２までの、表示装置２００の前面に平行な方向における距離Ｌ２を、３０ｍｍ以下とすると好ましい。距離Ｌ２は、２０ｍｍ以下とすると好ましく、１０ｍｍ以下とするとより好ましい。しかし、取付ベース側突出部１１３と周辺部２１１との当接箇所や装飾部材側突出部１２２と周辺部２１１との当接箇所が表示部２１０に近すぎると、取付ベース側突出部１１３や装飾部材側突出部１２２が表示部２１０にも当接して、表示部２１０を傷つける虞がある。このため、距離Ｌ１及び距離Ｌ２は、１ｍｍ以上とすると好ましく、３ｍｍ以上とするとより好ましい。
【００４８】
ただし、距離Ｌ１は距離Ｌ２よりも大きくすると好ましい。というのも、取付ベース側開口部１１１の周縁は装飾部材側開口部１２１の周縁よりも外側に位置しているため、取付ベース側突出部１１３を装飾部材側突出部１２２よりも表示装置２００の表示部２１０に近接させようとすると、取付ベース１１０及び装飾部材１２０の構造が複雑化する虞があるからである。しかし、距離Ｌ１と距離Ｌ２との差が大きくなりすぎると、表示装置２００から取付ベース１１０にかかる押圧力のかかり方と、表示装置２００から装飾部材１２０にかかる押圧力のかかり方とを近づけることが難しくなり、取付ベース１１０と装飾部材１２０との位置ずれを抑えにくくなる虞がある。このため、距離Ｌ１と距離Ｌ２との比Ｌ１／Ｌ２を、１０以下とすると好ましい。比Ｌ１／Ｌ２は、５以下とするとより好ましく、３以下とするとさらに好ましい。本実施態様においては、距離Ｌ１を７ｍｍ程度、距離Ｌ２を４ｍｍ程度としており、比Ｌ１／Ｌ２は、１．７５程度となっている。
【００４９】
また、本実施態様においては、取付ベース側突出部１１３を、取付ベース側開口部１１１の周縁に沿った箇所における、取付ベース側開口部１１１の中心からみて１８０°の回転対称性を有する位置に配しており、装飾部材側突出部１２２を、装飾部材側開口部１２１の周縁に沿った箇所における、装飾部材側開口部１２１の中心からみて１８０°の回転対称性を有する位置に配している。これにより、取付ベース側突出部１１３及び装飾部材側突出部１２２が表示装置２００の周辺部２１１に当接した際に、取付ベース１１０にかかる押圧力を取付ベース１１０内で対称に分散するようにすることができ、装飾部材１２０にかかる押圧力を装飾部材１２０内で対称に分散するようにすることができる。このため、取付ベース１１０や装飾部材１２０が偏って変形することを防ぐことができ、取付ベース１１０と装飾部材１２０との位置ずれを、より生じにくくすることができる。取付ベース側開口部１１１や装飾部材側開口部１２１の形状によっては、取付ベース側突出部１１３や装飾部材側突出部１２２を、１８０°以外の回転対称性（３６０°／Ｎ（Ｎ＝３，４，５，６…）の回転対称性）を有する位置に配することもできる。
【００５０】
取付ベース側突出部１１３や装飾部材側突出部１２２は、上記のように回転対称性を有する位置に配するほか、取付ベース側開口部１１１や装飾部材側開口部１２１の形状に応じて、取付ベース側開口部１１１の周縁や装飾部材側開口部１２１の周縁に沿った箇所における、線対称な位置に配するようにしてもよい。取付ベース側突出部１１３と装飾部材側突出部１２２とは、どちらか一方だけを上記のように対称な位置に配するようにしても、共に対称な位置に配するようにしてもよい。取付ベース側突出部１１３と装飾部材側突出部１２２とを、共に上記のように対称な位置に配する場合には、取付ベース側突出部１１３が配される位置の対称性と、装飾部材側突出部１２２が配される位置の対称性とを、異なるものとすることもできるが、同一のものとすると、上記の効果をより得やすくなるため好ましい。
【００５１】
さらに、本実施態様においては、取付ベース側突出部１１３を、取付ベース側開口部１１１の周縁に沿って均等な位置（取付ベース側開口部１１１の周縁を４等分した４つの区間のそれぞれ）に設けており、装飾部材側突出部１２２を、装飾部材側開口部１２１の周縁に沿って均等な位置（装飾部材側開口部１２１の周縁を４等分した４つの区間のそれぞれ）に設けている。これにより、取付ベース１１０にかかる押圧力を取付ベース１１０内で均等に分散するようにすることができ、装飾部材１２０にかかる押圧力を装飾部材１２０内で均等に分散するようにすることができる。このため、取付ベース１１０や装飾部材１２０が偏って変形することを防ぐことができ、取付ベース１１０と装飾部材１２０との位置ずれを、より生じにくくすることができる。この効果は、均等に配置する区間数を多くするほど奏されやすくなる。ただし、多くしすぎると、取付ベース１１０や装飾部材１２０の形状が複雑化する虞がある。このため、均等に配置する区間数は、３〜２０個とするとより好ましい。取付ベース側突出部１１３と装飾部材側突出部１２２とは、どちらか一方だけを上記のように均等な位置に設けるようにしても、共に上記のように均等な位置に設けるようにしてもよい。ただし、取付ベース側開口部１１１の周縁が、開口部内部に向かって半島状に突出する部分を有する場合には、当該突出部分の先端付近に取付ベース側突出部１１３を設けるようにすると好ましい。装飾部材側突出部１２２についても同様とする。
【符号の説明】
【００５２】
１０        回胴式遊技機
１０ａ      前扉
１０ａ１    リール窓
１１        メダル投入口
１２        メダル払出口
１３        リール（左リール）
１４        リール（中リール）
１５        リール（右リール）
１６        メイン表示ユニット
１６ａ      表示装置
１７        サブ表示ユニット
１８        スピーカー
１９        マックスベットボタン
２０        シングルベットボタン
２１        スタートレバー
２２        ストップボタン（左リール用ストップボタン）
２３        ストップボタン（中リール用ストップボタン）
２４        ストップボタン（右リール用ストップボタン）
２５        チャンスボタン
２６        払戻しボタン
１００      遊技機の装飾構造
１１０      取付ベース
１１１      取付ベース側開口部
１１２      凸条部
１１２ａ    後端面
１１３      取付ベース側突出部
１１３ａ    突出端
１１４      ねじ用ボス
１２０      装飾部材
１２１      装飾部材側開口部
１２２      装飾部材側突出部
１２２ａ    突出端
１２２ｂ    突起
１２３      フィン状部
１２３ａ    後端面
２００      表示装置
２１０      表示部
２１０ａ    表示部の周縁
２１１      周辺部
２２０      ねじ通し穴
３００      ねじ
Ｈ１        取付ベース側突出部の高さ
Ｈ２        装飾部材側突出部の高さ
Ｌ１        距離
Ｌ２        距離
Ｖ１        仮想図形
Ｃ          仮想図形の中心
Ｖ２        仮想図形
Ｌ          仮想図形の対称軸
【図１】
2017189482.tif 000003
【図２】
2017189482.tif 000004
【図３】
2017189482.tif 000005
【図４】
2017189482.tif 000006
【図５】
2017189482.tif 000007
【図６】
2017189482.tif 000008
【図７】
2017189482.tif 000009
【図８】
2017189482.tif 000010
【図９】
2017189482.tif 000011
【図１０】
2017189482.tif 000012
【図１１】
2017189482.tif 000013